(57)【要約】【課題】警察署及び消防署にとって、緊急通報の数をできる限り少なくさせると共に、その現場状況の把握に重要な情報のみを適切に取得する携帯電話機等を提供する。【解決手段】キー「１」、「１」、「０」及び「アプリ」ケーション起動用キーの順で押下された際に、又は、キー「１」、「１」、「９」及び「アプリ」ケーション起動用キーの順で押下された際に、通報キーとして検出する通報キー検出手段と、通報キーが検出された際に、「１１０」に基づくアプリケーション、又は、「１１９」に基づくアプリケーションを起動するアプリケーション起動手段と、位置情報を含む通報メッセージを、「１１０」又は「１１９」によって特定される通報受信装置へ送信する通報メッセージ送信手段とを有する。【選択図】図２
2011142370.tif 000002
【特許請求の範囲】
【請求項１】
位置情報を計測する測位部と、ユーザによって操作されるテンキー及び「アプリ」ケーション起動用キーとを有する携帯電話機において、
キー「１」、「１」、「０」及び「アプリ」ケーション起動用キーの順で押下された際に、又は、キー「１」、「１」、「９」及び「アプリ」ケーション起動用キーの順で押下された際に、通報キーとして検出する通報キー検出手段と、
前記通報キーが検出された際に、「１１０」に基づくアプリケーション、又は、「１１９」に基づくアプリケーションを起動するアプリケーション起動手段と、
前記位置情報を含む通報メッセージを、前記「１１０」又は「１１９」によって特定される通報受信装置へ送信する通報メッセージ送信手段と
を有することを特徴とする携帯電話機。
【請求項２】
カメラと、
前記カメラを用いて対象物が撮影される際に、ユーザから見たファインダの画像を表示するディスプレイと
を更に有し、
前記アプリケーションの制御に基づいて、前記カメラを自動的に起動するカメラ起動手段と、
前記アプリケーションの制御に基づいて、前記ディスプレイに、ユーザに対する撮影指示情報を表示する撮影指示手段と
を更に有し、
前記通報メッセージ送信手段は、前記位置情報と共に、前記カメラによって撮影された対象物の画像を、前記通報受信装置へ送信する
ことを特徴とする請求項１に記載の携帯電話機。
【請求項３】
前記通報メッセージ送信手段は、前記通報メッセージを送信した後、当該通報メッセージに含まれる前記画像を自動的に消去することを特徴とする請求項２に記載の携帯電話機。
【請求項４】
前記撮影指示情報は、被写体となるべき対象物の名称のテキストであることを特徴する請求項２又は３に記載の携帯電話機。
【請求項５】
前記「１１０」によって特定される通報受信装置は、警察の設備に基づくものであり、
前記「１１９」によって特定される通報受信装置は、消防の設備に基づくものであり、
前記撮影指示手段は、
警察又は消防に通報する際に起きうる状況を想定した複数の項目を含む撮影メニューを予め表示し、
前記撮影メニューにおけるいずれか１つの項目を、前記ユーザの操作に応じて選択させ、
選択された前記項目に応じて、前記撮影指示情報の内容が異なる
ことを特徴とする請求項４に記載の携帯電話機。
【請求項６】
前記アプリケーションの制御に基づいて、前記ユーザの操作に応じて前記カメラによって撮影された際に、自動的に方位を計測する地磁気センサを更に有し、
前記通報メッセージ送信手段は、前記ユーザの操作に応じて前記カメラを用いて撮影された対象物の画像と共に、当該画像を撮影した当該携帯電話機の方位も、前記通報受信装置へ送信する
ことを特徴とする請求項２から５のいずれか１項に記載の携帯電話機。
【請求項７】
タイマ部を更に有しており、
前記タイマ部によって前記アプリケーションが起動された起動時刻を取得する起動時刻取得手段を更に有し、
前記通報メッセージ送信手段は、前記位置情報と共に前記起動時刻を含む通報メッセージを、前記「１１０」又は「１１９」によって特定される通報受信装置へ送信する
ことを特徴とする請求項１から６のいずれか１項に記載の携帯電話機。
【請求項８】
識別番号を記憶するＳＩＭ(Subscriber Identification Module)カードを搭載しており、
前記通報メッセージ送信手段は、前記通報メッセージに、前記識別番号を更に含める
ことを特徴とする請求項１から７のいずれか１項に記載の携帯電話機。
【請求項９】
位置情報を計測する測位部と、ユーザによって操作されるテンキー及び「アプリ」ケーション起動用キーとを有する携帯電話機に搭載されたコンピュータを機能させるプログラムにおいて、
キー「１」、「１」、「０」及び「アプリ」ケーション起動用キーの順で押下された際に、又は、キー「１」、「１」、「９」及び「アプリ」ケーション起動用キーの順で押下された際に、通報キーとして検出する通報キー検出手段と、
前記通報キーが検出された際に、「１１０」に基づくアプリケーション、又は、「１１９」に基づくアプリケーションを起動するアプリケーション起動手段と、
前記位置情報を含む通報メッセージを、前記「１１０」又は「１１９」によって特定される通報受信装置へ送信する通報メッセージ送信手段と
してコンピュータを機能させることを特徴とする携帯電話機用のプログラム。
【請求項１０】
位置情報を計測する測位部と、ユーザによって操作されるテンキー及び「アプリ」ケーション起動用キーとを有する携帯電話機を用いて、通報受信装置へ通報するための通報方法において、
キー「１」、「１」、「０」及び「アプリ」ケーション起動用キーの順で押下された際に、又は、キー「１」、「１」、「９」及び「アプリ」ケーション起動用キーの順で押下された際に、通報キーとして検出する第１のステップと、
前記通報キーが検出された際に、「１１０」に基づくアプリケーション、又は、「１１９」に基づくアプリケーションを起動する第２のステップと、
前記位置情報を含む通報メッセージを、前記「１１０」又は「１１９」によって特定される通報受信装置へ送信する第３のステップと
を有することを特徴とする携帯電話機の通報方法。
【発明の詳細な説明】
【技術分野】
【０００１】
本発明は、緊急時に、一般人が、携帯電話機を用いて公的な緊急通報機関へ通報するための技術に関する。
【背景技術】
【０００２】
緊急時に、一般人が通報する公的な緊急通報機関としては、警察署や消防署がある。事件・事故の場面に遭遇した一般人は、通常、電話機を用いて、警察署の「１１０」番又は消防署の「１１９」番へ電話をかける。この緊急呼は、通報地点を管轄する警察署又は消防署の通報受信装置によって着呼される。このような緊急通報機関の通報受信装置は、多数の緊急通報を同時に受けることができるように設計されている。
【０００３】
また、従来、携帯電話機で撮影された事故現場の動画像を、インターネットを介して、画像データ管理サーバへ送信する技術がある（例えば特許文献１参照）。この技術によれば、画像データ管理サーバが、自動車事故などの現場にいるユーザの携帯電話機に対して、撮影箇所の指示情報を送信する。これに対し、ユーザは、その指示情報に応じて、携帯電話機を用いて事故現場の動画像を撮影し、画像データ管理サーバへ送信する。これによって、画像データ管理サーバの運用管理者は、撮影された動画像によって現場状況を把握することができる。尚、この技術における画像データ管理サーバの管理者は、自動車保険会社を想定しており、撮影された動画像は、主に、自動車事故の現場状況を撮影したものである。
【先行技術文献】
【特許文献】
【０００４】
【特許文献１】特開２００５−５７３４３号公報
【発明の概要】
【発明が解決しようとする課題】
【０００５】
近年、携帯電話機の普及に伴って、一般人による携帯電話機を用いた緊急通報、即ち「１１０」番通報及び「１１９」番通報が極めて増加している。そのため、緊急通報機関の通報受信装置に、大量の緊急通報が同時に集中する場合がある。このとき、通報受信装置の性能及び回線の数の制約から輻輳が発生し、着呼できない場合が発生する。また、通報の中には、現場に居合わせた当事者以外からの情報提供も多く、更なる輻輳を生じる。その結果、人命に関わるような重要度の高い緊急通報が着呼されないという問題が発生している。
【０００６】
また、着呼できた場合であっても、通報者が、現場の状況や位置を、緊急通報機関のオペレータに具体的且つ適切に口述できない場合も多い。通報者が緊迫した状態にあるほど、オペレータは、通報者から現場の状況を聞き出すことが困難となる。
【０００７】
一方で、携帯電話機を所持するユーザにとって、「１１０」番及び「１１９」番への発信には抵抗が多く、携帯電話あるユーザは多い。そのため、現場に居合わせたユーザであっても、緊急通報用電話番号への発信に躊躇する場合もある。ユーザにとって、一般的に、携帯電話機の「１」「１」「０」又は「１」「１」「９」のキーを押下するシーンは、ほとんどないからである。
【０００８】
特許文献１に記載された技術によれば、画像データ管理サーバが、ユーザによって所持される携帯電話機から収集することができる。しかしながら、撮影箇所の指示情報の選択は、その都度、オペレータ自身が操作する必要がある。結局、ユーザも、オペレータの操作に基づく撮影指示の毎に、携帯電話機を用いて撮影する必要がある。このような操作は、短時間（又は緊急時）に、効率的な情報を収集することができない。
【０００９】
そこで、本発明は、緊急通報機関にとって、通報受信装置に対する緊急通報の数をできる限り少なくさせると共に、その現場状況の把握に重要な情報のみを適切に取得することができる携帯電話機、プログラム及び通報方法を提供することを目的とする。
【課題を解決するための手段】
【００１０】
本発明によれば、位置情報を計測する測位部と、ユーザによって操作されるテンキー及び「アプリ」ケーション起動用キーとを有する携帯電話機において、
キー「１」、「１」、「０」及び「アプリ」ケーション起動用キーの順で押下された際に、又は、キー「１」、「１」、「９」及び「アプリ」ケーション起動用キーの順で押下された際に、通報キーとして検出する通報キー検出手段と、
通報キーが検出された際に、「１１０」に基づくアプリケーション、又は、「１１９」に基づくアプリケーションを起動するアプリケーション起動手段と、
位置情報を含む通報メッセージを、「１１０」又は「１１９」によって特定される通報受信装置へ送信する通報メッセージ送信手段と
を有することを特徴とする。
【００１１】
本発明の携帯電話機における他の実施形態によれば、
カメラと、
カメラを用いて対象物が撮影される際に、ユーザから見たファインダの画像を表示するディスプレイと
を更に有し、
アプリケーションの制御に基づいて、カメラを自動的に起動するカメラ起動手段と、
アプリケーションの制御に基づいて、ディスプレイに、ユーザに対する撮影指示情報を表示する撮影指示手段と
を更に有し、
通報メッセージ送信手段は、位置情報と共に、カメラによって撮影された対象物の画像を、通報受信装置へ送信することも好ましい。
【００１２】
本発明の携帯電話機における他の実施形態によれば、通報メッセージ送信手段は、通報メッセージを送信した後、当該通報メッセージに含まれる画像を自動的に消去することも好ましい。
【００１３】
本発明の携帯電話機における他の実施形態によれば、撮影指示情報は、被写体となるべき対象物の名称のテキストであることも好ましい。
【００１４】
本発明の携帯電話機における他の実施形態によれば、
「１１０」によって特定される通報受信装置は、警察の設備に基づくものであり、
「１１９」によって特定される通報受信装置は、消防の設備に基づくものであり、
撮影指示手段は、
警察又は消防に通報する際に起きうる状況を想定した複数の項目を含む撮影メニューを予め表示し、
撮影メニューにおけるいずれか１つの項目を、ユーザの操作に応じて選択させ、
選択された項目に応じて、撮影指示情報の内容が異なることも好ましい。
【００１５】
本発明の携帯電話機における他の実施形態によれば、
アプリケーションの制御に基づいて、ユーザの操作に応じてカメラによって撮影された際に、自動的に方位を計測する地磁気センサを更に有し、
通報メッセージ送信手段は、ユーザの操作に応じてカメラを用いて撮影された対象物の画像と共に、当該画像を撮影した当該携帯電話機の方位も、通報受信装置へ送信することも好ましい。
【００１６】
本発明の携帯電話機における他の実施形態によれば、
タイマ部を更に有しており、
タイマ部によってアプリケーションが起動された起動時刻を取得する起動時刻取得手段を更に有し、
通報メッセージ送信手段は、位置情報と共に起動時刻を含む通報メッセージを、「１１０」又は「１１９」によって特定される通報受信装置へ送信することも好ましい。
【００１７】
本発明の携帯電話機における他の実施形態によれば、
識別番号を記憶するＳＩＭ(Subscriber Identification Module)カードを搭載しており、
通報メッセージ送信手段は、通報メッセージに、識別番号を更に含めることも好ましい。
【００１８】
本発明によれば、位置情報を計測する測位部と、ユーザによって操作されるテンキー及び「アプリ」ケーション起動用キーとを有する携帯電話機に搭載されたコンピュータを機能させるプログラムにおいて、
キー「１」、「１」、「０」及び「アプリ」ケーション起動用キーの順で押下された際に、又は、キー「１」、「１」、「９」及び「アプリ」ケーション起動用キーの順で押下された際に、通報キーとして検出する通報キー検出手段と、
通報キーが検出された際に、「１１０」に基づくアプリケーション、又は、「１１９」に基づくアプリケーションを起動するアプリケーション起動手段と、
位置情報を含む通報メッセージを、「１１０」又は「１１９」によって特定される通報受信装置へ送信する通報メッセージ送信手段と
してコンピュータを機能させることを特徴とする。
【００１９】
本発明によれば、位置情報を計測する測位部と、ユーザによって操作されるテンキー及び「アプリ」ケーション起動用キーとを有する携帯電話機を用いて、通報受信装置へ通報するための通報方法において、
キー「１」、「１」、「０」及び「アプリ」ケーション起動用キーの順で押下された際に、又は、キー「１」、「１」、「９」及び「アプリ」ケーション起動用キーの順で押下された際に、通報キーとして検出する第１のステップと、
通報キーが検出された際に、「１１０」に基づくアプリケーション、又は、「１１９」に基づくアプリケーションを起動する第２のステップと、
位置情報を含む通報メッセージを、「１１０」又は「１１９」によって特定される通報受信装置へ送信する第３のステップと
を有することを特徴とする。
【発明の効果】
【００２０】
本発明の携帯電話機、プログラム及び通報方法によれば、緊急通報機関にとって、通報受信装置に対する緊急通報の数をできる限り少なくさせると共に、その現場状況の把握に重要な情報のみを適切に取得することができる。
【図面の簡単な説明】
【００２１】
【図１】本発明におけるシステム構成図である。
【図２】本発明におけるシーケンス図である。
【図３】通報キーの押下を表す説明図である。
【図４】本発明における撮影メニューを表す説明図である。
【図５】本発明における携帯電話機の機能構成図である。
【発明を実施するための形態】
【００２２】
以下、本発明の実施の形態について、図面を用いて詳細に説明する。
【００２３】
図１は、本発明におけるシステム構成図である。
【００２４】
図１によれば、携帯電話機１は、アクセスネットワークとしての携帯電話網の基地局と、無線リンクを介して通信する。また、携帯電話網及びインターネットは、相互接続されている。図１によれば、公的な緊急通報機関として消防署が表されており、その通報受信装置２も、インターネットに接続されている。これによって、携帯電話機１は、緊急通報機関の通報受信装置２へ、通報メッセージを送信することができる。勿論、インターネットに限られず、携帯電話網と相互接続された広域通信網であってもよい。
【００２５】
図１によれば、携帯電話機１は、キー入力部１０１と、ディスプレイ部１０２と、測位部１０３と、カメラ１０４とを搭載している。いずれの機能も、既存の携帯電話機にほぼ標準的に搭載されたものである。測位部１０３は、ＧＰＳ(Global Positioning System、全地球的測位システム)衛星からの測位電波を受信することによって、位置情報を計測することができる。３つのＧＰＳ衛星が見える場所では「緯度・経度」を測位することができる。また、カメラ１０４は、映像（動画像）を撮影する機能を搭載していることが好ましいが、静止画像を撮影するものであってもよい。
【００２６】
図１によれば、携帯電話機１を所持したユーザが、火災現場に遭遇していると想定する。ユーザは、携帯電話機１を把持し、当該携帯電話機１のカメラ１０４を、火災現場へ向ける。携帯電話機１のディスプレイ１０２には、カメラ１０４を用いて対象物を撮影する際にユーザから見たファインダの画像を表示する。ユーザは、ディスプレイ部１０２に表示されている映像を視ながら、カメラ１０４によって現場状況の映像を撮影することができる。
【００２７】
そして、携帯電話機１は、緊急通報機関の通報受信装置２に対する発呼に代えて、アクセスネットワーク及びインターネットを介して、通報メッセージを送信する。通報メッセージは、電子メールであってもよいし、携帯電話事業者固有のメッセージサービスであってもよい。この通報メッセージには、測位部１０３によって計測された位置情報と、カメラ１０４によって撮影された画像とが含まれる。これによって、消防署は、火災現場の位置と、その状況を撮影した画像とを把握することができ、初期から適切な消火行動を採ることができる。
【００２８】
図２は、本発明におけるシーケンス図である。
【００２９】
（Ｓ２０１）ユーザの操作によって、携帯電話機１は、キー「１」、「１」、「０」及び「アプリ」ケーション起動用キーの順で押下されたこと、又は、キー「１」、「１」、「９」及び「アプリ」ケーション起動用キーの順で押下されたことを、「通報キー」として検出する。
【００３０】
図３は、通報キーの押下を表す説明図である。図１と同様に、携帯電話機１を所持したユーザが、火災現場に遭遇していると想定しており、携帯電話機１は、テンキーのキー「１」、「１」、「９」及び「アプリ」ケーション起動用キーの順で押下されている。
【００３１】
ここで、従来の場合、消防署へ発呼する場合、ユーザは、テンキーの「１」、「１」、「９」及び「発呼」用キー（例えば受話器がオフフックされた画像で表されたキー）の順で押下する。これに対し、本発明は、「発呼」用キーではなく、「アプリ」ケーション起動用キー（例えば「アプリ」と表示されたキー）の順で押下する。これによって、消防署へ発呼することなく、続くＳ２０２によって、「１１９」に基づく消防署用アプリケーションが起動される。
【００３２】
（Ｓ２０２）通報キーを検出した携帯電話機１は、「１１０」に基づくアプリケーション、又は、「１１９」に基づくアプリケーションを起動する。図２によれば、キー「１」「１」「９」「アプリ」ケーション起動用キーが押下されているので、「１１９」に基づく消防署用アプリケーションが起動される。
【００３３】
（Ｓ２０３）携帯電話機１は、ＧＰＳ衛星３からの測位電波を受信することによって、アプリケーション起動時における携帯電話機１の位置情報を計測する。
【００３４】
（Ｓ２０４）携帯電話機１は、アプリケーションの制御に基づいて、カメラを自動的に起動する。
【００３５】
（Ｓ２０５）携帯電話機１は、アプリケーションの制御に基づいて、ユーザに対して、撮影の指示をする。携帯電話機１は、ディスプレイに、被写体となるべき対象物の名称のテキストを表示して、撮影の指示をする。
【００３６】
（Ｓ２０６）携帯電話機１は、カメラを用いて、ユーザの操作により被写体となる対象物を撮影する。対象物の撮影画像は、動画像であるのが好ましいが、静止画像であってもよい。
【００３７】
図４は、本発明における撮影メニューの説明図である。
【００３８】
カメラを起動した携帯電話機１は、ディスプレイに「撮影メニュー」を表示する。撮影メニューは、「１１０」番（警察署）又は「１１９」番（消防署）に通報する際に起きうる状況を想定した複数の項目を含む。
【００３９】
図４によれば、図３と同様に火災現場を想定しており、ユーザは、キー「１」「１」「９」「アプリ」を順に押下したために、消防用アプリケーションの撮影メニューが表示される。図４（ａ）によれば、携帯電話機のディスプレイに、例えば以下のような項目を含む撮影メニューが表示される。各項目には、番号が付与されている。
（１）交通事故
（２）ケガ
（３）火災
（４）急病
【００４０】
ユーザの操作によって、携帯電話機のディスプレイに表示された撮影メニューの項目の中で、いずれかの番号のキーが押下される。例えば、通報者は火災現場に遭遇しているので、キー「３」を押下することによって、「（３）火災」を選択する。
【００４１】
図４（ｂ１）によれば、携帯電話機のディスプレイに、撮影指示「建物全体を撮影してください。」が表示されている。この指示に応じて、ユーザは、携帯電話機のカメラを、火災の建物に向けて、その映像を撮影する。携帯電話機１のディスプレイには、撮影指示内容と共に、ユーザから見たファインダの画像が表示されてもよい。アプリケーションは、ユーザに撮影させるべき項目を予め登録している。
【００４２】
図４（ｂ１）とは別に、図４（ｂ２）によれば、携帯電話機のディスプレイに、例えば以下のような項目を含む撮影メニューが表示されている。
（１）建物全体
（２）周辺の人
（３）周辺の車輌
ユーザの操作によって、携帯電話機のディスプレイに表示された撮影メニューの項目の中で、いずれかの番号のキーが押下される。例えば、通報者は、キー「２」を押下することによって、「（２）周辺の人」を選択する。
【００４３】
尚、図（ｂ２）の撮影メニューの項目は、図４（ａ）によって選択された項目に応じて異なる。火災現場の場合、建物が被写体となるべき対象物となるのに対して、交通事故現場の場合、車両が対象物となる。
【００４４】
次に、図４（ｃ）によれば、携帯電話機のディスプレイに、撮影指示「周辺の人を撮影してください。」が表示される。この指示に応じて、ユーザは、携帯電話機のカメラを、火災現場の周辺に存在する人に向ける。携帯電話機のディスプレイにファインダに表示されている周辺の人の映像が、撮影される。火災が発生した際に、火災の建物だけでなく、その周辺の人や車輌等が撮影された映像は、消防署にとっては極めて重要な情報となる。例えば、火災現場の周辺に不審人物や車輌が存在する場合があるからである。
【００４５】
（Ｓ２０７）携帯電話機１は、位置情報及び撮影画像を含む通報メッセージを、通報受信装置２へ送信する。通報メッセージを送信すべき通報受信装置２のアドレスは、「１１０」又は「１１９」によって特定されるものとなる。例えば、アプリケーション起動の際に、押下されたキーが「１１９」である場合、特定される通報受信装置２は、消防署の設備に基づくものである。また、押下されたキーが「１１０」である場合、特定される通報受信装置２は、警察署の設備に基づくものである。
【００４６】
携帯電話機１は、通報メッセージを送信した後、当該携帯電話機１は、通報メッセージに含まれる画像を自動的に消去することも好ましい。警察署や消防署に送信された通報メッセージの内容がその携帯電話機１に残存することによって、その後、他人にその情報が漏洩することを防止するためである。
【００４７】
尚、携帯電話機１が、地磁気センサを備えている場合、通報メッセージに、画像と共に、その画像を撮影したときの携帯電話機の方位を通報メッセージに含めてもよい。
【００４８】
また、携帯電話機１が、標準的に搭載しているタイマ部を用いて、アプリケーションが起動された起動時刻を、通報メッセージに含めることも好ましい。
【００４９】
更に、携帯電話機１が、標準的に搭載しているＳＩＭカードを用いて、その識別番号を通報メッセージに含めてもよい。
【００５０】
本発明における他の実施形態として、更に、通報メッセージが、改竄の防止と高い信憑性のために暗号化及び／又は電子署名化されていることも好ましい。例えば、ＳＩＭカードの識別番号をキーとして、通報メッセージ自体を暗号化及び／又は電子署名化することもできる。勿論、一般的な共通鍵暗号方式又は公開鍵暗号方式が用いられるものであってもよい。
【００５１】
図５は、本発明における携帯電話機の機能構成図である。
【００５２】
図５によれば、携帯電話機１は、キー入力部１０１と、ディスプレイ部１０２と、測位部１０３と、カメラ１０４と、地磁気センサ１０５と、ＳＩＭカード１０６と、通信インタフェース部１０７とを有する。また、携帯電話機１は、通報キー検出部１１１と、アプリケーション起動部１１２と、カメラ起動部１１３と、撮影指示部１１４と、タイマ部１１５と、起動時刻取得部１１６と、通報メッセージ送信部１１７とを有する。これら機能構成部は、携帯電話機に搭載されたコンピュータを機能させるプログラムを実行することによって実現できる。
【００５３】
キー入力部１０１は、ユーザによって操作される「テンキー」及び「アプリ」ケーション起動用キーとを有する。ユーザの操作に応じて押下されたキーの情報は、通報キー検出部１１１へ出力される。
【００５４】
通報キー検出部１１１は、キー「１」、「１」、「０」及び「アプリ」ケーション起動用キーの順で押下された際に、又は、キー「１」、「１」、「９」及び「アプリ」ケーション起動用キーの順で押下された際に、「通報キー」として検出する。通報キー検出部１１１は、検出された通報キーの情報を、アプリケーション起動部１１２へ出力する。
【００５５】
アプリケーション起動部１１２は、検出された通報キーが、「１」「１」「０」及び「アプリ」ケーション起動用キーからなる場合、警察署に基づくアプリケーションを起動する。一方、検出された通報キーが、「１」「１」「９」及び「アプリ」ケーション起動用キーからなる場合、消防署に基づくアプリケーションを起動する。「１１０」に基づくアプリケーションによって、警察の設備に基づく通報受信装置が特定される。また、「１１９」に基づくアプリケーションによって、消防の設備に基づく通報受信装置が特定される。
【００５６】
ディスプレイ部１０２は、携帯電話機のディスプレイであり、撮影メニューを表示する撮影指示画面と、カメラを用いて対象物を撮影する際にユーザから見たファインダの画像とを表示する。
【００５７】
測位部１０３は、ＧＰＳ衛星３からの測位電波を受信して、現在位置を計測する。測位部１０３は、アプリケーション起動時の位置情報を計測し、その位置情報を、通報メッセージ送信部１１７へ出力する。
【００５８】
カメラ起動部１１３は、アプリケーション起動部１１２の指示に基づいて、カメラ１０４を自動的に起動する。
【００５９】
撮影指示部１１４は、アプリケーション起動部１１２の指示に基づいて、ディスプレイ部１０２に、撮影メニューを表示する。そして、ユーザに、いずれか１つの項目を選択させる。撮影指示部１１４は、選択された緊急通報内容の項目に応じて、ディスプレイ部１０２に、ユーザに対する撮影指示情報を表示する。撮影指示情報は、被写体となるべき対象物の名称のテキストである。
【００６０】
カメラ１０４は、映像を撮影するものであることが好ましい。勿論、静止画像を、ユーザのシャッター操作によって撮影するものであってもよい。カメラ起動部１１３から起動されたカメラ１０４は、ユーザから見たファインダの画像を記録する。ファインダの画像は、ディスプレイ部１０２に表示される。撮影画像は、通報メッセージ送信部１１７へ出力される。
【００６１】
地磁気センサ１０５は、携帯電話機の方位を計測する。地磁気センサ１０５は、カメラ１０４を用いて対象物の画像を撮影した際に、携帯電話機１の方位を自動的に計測する。地磁気センサ１０５は、計測した方位を、カメラ１０４で撮影した画像と共に、通報メッセージ送信部１１７へ出力する。
【００６２】
ＳＩＭカード１０６は、携帯電話機の識別番号を記憶する。ＳＩＭカード１０６は、通報メッセージ送信部１１７へ、その携帯電話機の識別番号を出力する。
【００６３】
タイマ部１１５は、現在時刻を出力する。タイマ部１１５は、アプリケーションが起動された時刻を、起動時刻取得部１１６へ出力する。
【００６４】
起動時刻取得部１１６は、アプリケーションが起動された時刻を取得する。起動時刻取得部１１６は、通報メッセージ送信部１１７へ、起動時刻を出力する。
【００６５】
通報メッセージ送信部１１７は、通報メッセージを、通信インタフェース部１０７へ出力し、アクセスネットワーク及びインターネットを介して、通報受信装置２へ送信する。通報メッセージは、アプリケーション起動時における当該携帯電話機の位置情報を含む。また、通報メッセージは、位置情報と共に、撮影画像、方位、アプリケーション起動時刻、又は、携帯電話機の識別番号を含むものであってもよい。
【００６６】
以上、詳細に説明したように、本発明の携帯電話機、プログラム及び通報方法によれば、緊急通報機関にとって、通報受信装置に対する緊急通報の数をできる限り少なくさせると共に、その現場状況の把握に重要な情報のみを適切に取得することができる。また、通報メッセージに、現場の位置情報や、その状況を撮影した画像が含まれることによって、より適切な初期行動を採ることができる。また、通報者にとっては、緊急通報用の電話番号に対する発信について、比較的抵抗が少なくなる。緊急通報機関にとっては、電子メールや画像ファイルの受信のみであれば、大量の通報が集中することによる回線の輻輳も回避することができる。
【００６７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６８】
１  携帯電話機
１０１  キー入力部
１０２  ディスプレイ部
１０３  測位部
１０４  カメラ
１０５  地磁気センサ
１０６  ＳＩＭカード
１０７  通信インタフェース部
１１１  通報キー検出部
１１２  アプリケーション起動部
１１３  カメラ起動部
１１４  撮影指示部
１１５  タイマ部
１１６  起動時刻取得部
１１７  通報メッセージ送信部
２  通報受信装置
３  ＧＰＳ衛星
【図１】
2011142370.tif 000003
【図２】
2011142370.tif 000004
【図３】
2011142370.tif 000005
【図４】
2011142370.tif 000006
【図５】
2011142370.tif 000007